(57)【特許請求の範囲】
【請求項１】
間接工法において間接工具によって把持される把手構造であって、
把持領域を有する把持部は、ベースから突設され、間接工具によって把持される把持孔が形成され、
前記把持孔は、把持部の先端縁との間に把持領域を形成されるように把持部の先端縁と一定の距離をおいて、把持部のベース側に形成され、
把持部は、ベースの主面と交差及び／又は直交する上面及び／若しくは下面に平面部を有し、
その平面部より上方及び／若しくは下方に向けてのびる縁部を形成され、並びに／又は
、その平面部に間接工具を引っ掛ける及び／若しくは挿入するための、係合部を構成する
凹部又は孔部を形成され、
前記係合部は、把持部の把持孔側の端縁に形成され、
前記平面部は、把持部を開閉する方向に拡がり、
前記縁部は、把持部を開閉する方向と交差ないしは直交する方向にのび、
前記平面部及び／又は縁部は、間接工具で把持されたことを間接工具の操作者が視認す
ることができるように形成され、
前記凹部又は孔部は、間接工具を引っ掛ける及び／又は挿入するときに間接工具の操作
者が視認することができるように形成された、間接工法における間接工具によって把持さ
れる把手構造。
【請求項２】
配電線及びその近傍に存する被掩物を収容するカバーの第１ハーフカバー及び／又は第
２ハーフカバーの外表面に、カバー把持部を備え、
前記第１ハーフカバー及び第２ハーフカバーは、第１ハーフカバーと第２ハーフカバー
とを上方において開閉自在に連設され、該連設された領域より下方の領域において、第１
ハーフカバー及び／又は第２ハーフカバーにカバー把持部を突設され、
前記カバー把持部は、間接工具によって把持するために間接工具を進行させる方向とは
反対の方向に突設され、且つ、間接工具によって把持される把持孔が形成され、
前記把持孔は、カバー把持部の先端縁との間に把持領域を形成されるようにカバー把持部の先端縁と一定の距離をおいて、第１ハーフカバー及び／又は第２ハーフカバー側に形成され、
前記カバー把持部の外表面が該間接工具によって把持される形状を備え、
前記第１ハーフカバーと前記第２ハーフカバーが閉じられた状態の時に、前記第１ハー
フカバーに突設されたカバー把持部である第１カバー把持部と前記第２ハーフカバーに突
設されたカバー把持部である第２カバー把持部のうち、少なくとも一方を、間接工具によ
りカバー把持部の突出方向に引っ張ることによって、第１ハーフカバーと第２ハーフカバ
ーとを連設された領域より下方において離間させ、被掩物を開口した領域から挿入させる
ことにより、対向する第１ハーフカバーと第２ハーフカバーの内側の被掩物収容部内に収
容させ、且つ、開口した第１ハーフカバーと第２ハーフカバーとが離間した領域において
連設されて閉塞され、被掩物を掩うように形成された、間接工法用カバー。
【請求項３】
被掩物収容部内に収容される被掩物は掴線器であって、
第１ハーフカバーと、該第１ハーフカバーに接し合わされる、第２ハーフカバーとを備
え、
前記第１ハーフカバーは、その上縁にて第２ハーフカバーと開閉自在に連結され、その
下縁にて第２ハーフカバーと閉塞した状態にて固定され、
第１ハーフカバー及び第２ハーフカバーは、閉塞したときに、掴線器収容室内に収容さ
れた掴線器に掴持された線を挿入されて外部に伸ばすための線挿入開口部を、左右側縁に
形成され、
第１ハーフカバー及び／又は第２ハーフカバーは、掴線器収容室内に収容された掴線器
から線ののびる方向と交差又は直交する方向に向けてのびる、カバー把持部を突設され、
前記カバー把持部は、間接工具で把持できるように、カバー胴部の主面と交差及び／又
は直交する上面及び／若しくは下面に平面部を有し、及び／又は間接工具を係合できる、
係合部を有する、請求項２に記載の間接工法用カバー。
【請求項４】
被掩物収容部内に収容される被掩物は間接工法を施工する配電線及び／又は装置であっ
て、第１ハーフカバーと、該第１ハーフカバーに接し合わされる、第２ハーフカバーとを
備え、
前記第１ハーフカバーは、その上縁にて第２ハーフカバーと開閉自在に連結され、その
下縁にて第２ハーフカバーと閉塞した状態にて固定され、
第１ハーフカバー及び第２ハーフカバーは、閉塞したときに、被掩物収容室内に収容さ
れた配電線及び／又は装置を挿入されて外部に伸ばすための挿入開口部を、左右側縁に形
成され、  第１ハーフカバー及び／又は第２ハーフカバーは、被掩物収容室内に収容され
た配電線及び／又は装置ののびる方向と交差又は直交する方向に向けてのびる、カバー把
持部を突設され、
前記カバー把持部は、間接工具で把持できるように、カバー胴部の主面と交差及び／又
は直交する上面及び／若しくは下面に平面部を有し、及び／又は間接工具を係合できる、
係合部を有する、請求項２に記載の間接工法用カバー。
【発明の詳細な説明】
【技術分野】
【０００１】
この発明は、間接工法における間接工具によって把持される把手構造及び間接工法用カバーに関し、特に、例えば間接的に配電線を扱う間接活線工法における架線の切り分け工事等に用いられる掴線器等の工具並びに配電線及び碍子等のそれに関連する装置のカバーに関するものである。
【背景技術】
【０００２】
間接活線工法において、電柱等の高所に取り付けられた装置、部材、部品を間接工具等で把持して、装置、部材及び部品を、移動する、回転する、開閉する、振る、操る、押したり引いたりする等、動かすことが多い。
また、間接活線工法において、高所に取り付けられた掴線器、開閉器等を外方からの加えられた衝撃等から守る必要がある。
【０００３】
例えば、絶縁棒等の活線作業用器具を用いて、間接的に配電線を扱う間接活線工法の架線の切分け工事において、伸縮自在の棒状伸縮器の両端部に固着した掴線器で架線の２箇所をそれぞれ掴持したのち、上記伸縮器を縮ませながら両掴線器を近接させることにより、被覆架線における両掴線器の間で弛んだ状態となった部分を切断している。
【０００４】
ところが、切断後の架線の両側の切断端部の近傍箇所を一対の掴線器でそれぞれ掴持して、その両掴線器を伸縮器を介し連結した状態で長時間放置しておくような場合には、何らかの原因で掴線器に大きな外力が加わると、工事に支障をきたす等問題がある。
【先行技術文献】
【特許文献】
【０００５】
【特許文献１】特開２００４−１９４３８１号公報
【発明の概要】
【発明が解決しようとする課題】
【０００６】
間接工法において、電柱等の高所に取り付けられた装置、部材、部品等を動かすために、その装置、部材及び部品等を把持する必要がある。
ところが、高い所にある装置、部材、部品等を間接工具で把持するためには、把持する把手構造を間接工具で把持し易い構造とする必要がある。
また、掴線器等の工具に、直接外力が加えられないようにするために、掴線器等の工具をカバーした方がよい。
ところが、架空配線の工事において、架線を掴持するために取り付けられた掴線器等の工具が高所にあるため、そのカバーは、高所にある掴線器等の工具に取り付けを確実にでき、且つ掴線器等の工具から外れにくいカバーを望まれている。
間接活線工法において、配電線及び碍子等のそれに関連する装置に取り付けを確実にでき、且つ外れにくいカバーを望まれている。
それゆえに、この発明の主たる目的は、間接工法において間接工具で把持し易い把手構造を提供することである。
また、この発明の主たる目的は、掴線器等の工具並びに配電線及び碍子等のそれに関連する装置に取り付けを確実にでき、且つ掴線器等の工具並びに配電線及び碍子等のそれに関連する装置から外れにくい間接工法用カバーを提供することである。
【課題を解決するための手段】
【０００７】
この発明の請求項１にかかる間接工法用カバーは、間接工法において間接工具によって把持される把手構造であって、把持領域を有する把持部は、ベースから突設され、間接工具によって把持される把持孔が形成され、前記把持孔は、把持部の先端縁との間に把持領域を形成されるように把持部の先端縁と一定の距離をおいて、把持部のベース側に形成され、把持部は、ベースの主面と交差及び／又は直交する上面及び／若しくは下面に平面部を有し、その平面部より上方及び／若しくは下方に向けてのびる縁部を形成され、並びに／又は、その平面部に間接工具を引っ掛ける及び／若しくは挿入するための、係合部を構成する凹部又は孔部を形成され、前記係合部は、把持部の把持孔側の端縁に形成され、前記平面部は、把持部を開閉する方向に拡がり、前記縁部は、把持部を開閉する方向と交差ないしは直交する方向にのび、前記平面部及び／又は縁部は、間接工具で把持されたことを間接工具の操作者が視認することができるように形成され、前記凹部又は孔部は、間接工具を引っ掛ける及び／又は挿入するときに間接工具の操作者が視認することができるように形成された、間接工法における間接工具によって把持される把手構造である。
この発明の請求項２にかかる間接工法用カバーは、配電線及びその近傍に存する被掩物を収容するカバーの第１ハーフカバー及び／又は第２ハーフカバーの外表面に、カバー把持部を備え、前記第１ハーフカバー及び第２ハーフカバーは、第１ハーフカバーと第２ハーフカバーとを上方において開閉自在に連設され、該連設された領域より下方の領域において、第１ハーフカバー及び／又は第２ハーフカバーにカバー把持部を突設され、前記カバー把持部は、間接工具によって把持するために間接工具を進行させる方向とは反対の方向に突設され、且つ、間接工具によって把持される把持孔が形成され、前記把持孔は、カバー把持部の先端縁との間に把持領域を形成されるようにカバー把持部の先端縁と一定の距離をおいて、第１ハーフカバー及び／又は第２ハーフカバー側に形成され、前記カバー把持部の外表面が該間接工具によって把持される形状を備え、前記第１ハーフカバーと前記第２ハーフカバーが閉じられた状態の時に、前記第１ハーフカバーに突設されたカバー把持部である第１カバー把持部と前記第２ハーフカバーに突設されたカバー把持部である第２カバー把持部のうち、少なくとも一方を、間接工具によりカバー把持部の突出方向に引っ張ることによって、第１ハーフカバーと第２ハーフカバーとを連設された領域より下方において離間させ、被掩物を開口した領域から挿入させることにより、対向する第１ハーフカバーと第２ハーフカバーの内側の被掩物収容部内に収容させ、且つ、開口した第１ハーフカバーと第２ハーフカバーとが離間した領域において連設されて閉塞され、被掩物を掩うように形成されている。
この発明の請求項３にかかる請求項２に記載の間接工法用カバーは、被掩物収容部内に収容される被掩物は掴線器であって、第１ハーフカバーと、該第１ハーフカバーに接し合わされる、第２ハーフカバーとを備え、前記第１ハーフカバーは、その上縁にて第２ハーフカバーと開閉自在に連結され、その下縁にて第２ハーフカバーと閉塞した状態にて固定され、第１ハーフカバー及び第２ハーフカバーは、閉塞したときに、掴線器収容室内に収容された掴線器に掴持された線を挿入されて外部に伸ばすための線挿入開口部を、左右側縁に形成され、第１ハーフカバー及び／又は第２ハーフカバーは、掴線器収容室内に収容された掴線器から線ののびる方向と交差又は直交する方向に向けてのびる、カバー把持部を突設され、前記カバー把持部は、間接工具で把持できるように、カバー胴部の主面と交差及び／又は直交する上面及び／若しくは下面に平面部を有し、及び／又は間接工具を係合できる、係合部を有する。
この発明の請求項４にかかる請求項２に記載の間接工法用カバーは、被掩物収容部内に収容される被掩物は間接工法を施工する配電線及び／又は装置であって、第１ハーフカバーと、該第１ハーフカバーに接し合わされる、第２ハーフカバーとを備え、前記第１ハーフカバーは、その上縁にて第２ハーフカバーと開閉自在に連結され、その下縁にて第２ハーフカバーと閉塞した状態にて固定され、第１ハーフカバー及び第２ハーフカバーは、閉塞したときに、被掩物収容室内に収容された配電線及び／又は装置を挿入されて外部に伸ばすための挿入開口部を、左右側縁に形成され、第１ハーフカバー及び／又は第２ハーフカバーは、被掩物収容室内に収容された配電線及び／又は装置ののびる方向と交差又は直交する方向に向けてのびる、カバー把持部を突設され、前記カバー把持部は、間接工具で把持できるように、カバー胴部の主面と交差及び／又は直交する上面及び／若しくは下面に平面部を有し、及び／又は間接工具を係合できる、係合部を有する。
【発明の効果】
【０００８】
請求項１の発明によれば、間接工法において間接工具によって把持される把手構造であって、把持領域を有する把持部は、ベースから突設され、間接工具によって把持される把持孔が形成され、前記把持孔は、把持部の先端縁との間に把持領域を形成されるように把持部の先端縁と一定の距離をおいて、把持部のベース側に形成され、把持部は、ベースの主面と交差及び／又は直交する上面及び／若しくは下面に平面部を有し、その平面部より上方及び／若しくは下方に向けてのびる縁部を形成され、並びに／又は、その平面部に間接工具を引っ掛ける及び／若しくは挿入するための、係合部を構成する凹部又は孔部を形成され、前記係合部は、把持部の把持孔側の端縁に形成され、前記平面部は、把持部を開閉する方向に拡がり、前記縁部は、把持部を開閉する方向と交差ないしは直交する方向にのび、前記平面部及び／又は縁部は、間接工具で把持されたことを間接工具の操作者が視認することができるように形成され、前記凹部又は孔部は、間接工具を引っ掛ける及び／又は挿入するときに間接工具の操作者が視認することができるように形成された、間接工法における間接工具によって把持される把手構造を提供できる。
請求項２の発明によれば、配電線及びその近傍に存する被掩物を収容するカバーの第１ハーフカバー及び／又は第２ハーフカバーの外表面に、カバー把持部を備え、前記第１ハーフカバー及び第２ハーフカバーは、第１ハーフカバーと第２ハーフカバーとを上方において開閉自在に連設され、該連設された領域より下方の領域において、第１ハーフカバー及び／又は第２ハーフカバーにカバー把持部を突設され、前記カバー把持部は、間接工具によって把持するために間接工具を進行させる方向とは反対の方向に突設され、且つ、間接工具によって把持される把持孔が形成され、前記把持孔は、カバー把持部の先端縁との間に把持領域を形成されるようにカバー把持部の先端縁と一定の距離をおいて、第１ハーフカバー及び／又は第２ハーフカバー側に形成され、前記カバー把持部の外表面が該間接工具によって把持される形状を備え、前記第１ハーフカバーと前記第２ハーフカバーが閉じられた状態の時に、前記第１ハーフカバーに突設されたカバー把持部である第１カバー把持部と前記第２ハーフカバーに突設されたカバー把持部である第２カバー把持部のうち、少なくとも一方を、間接工具によりカバー把持部の突出方向に引っ張ることによって、第１ハーフカバーと第２ハーフカバーとを連設された領域より下方において離間させ、被掩物を開口した領域から挿入させることにより、対向する第１ハーフカバーと第２ハーフカバーの内側の被掩物収容部内に収容させ、且つ、開口した第１ハーフカバーと第２ハーフカバーとが離間した領域において連設されて閉塞され、被掩物を掩うように形成された、間接工法用カバーを提供できる。
請求項３の発明によれば、被掩物収容部内に収容される被掩物は掴線器であって、第１ハーフカバーと、該第１ハーフカバーに接し合わされる、第２ハーフカバーとを備え、前記第１ハーフカバーは、その上縁にて第２ハーフカバーと開閉自在に連結され、その下縁にて第２ハーフカバーと閉塞した状態にて固定され、第１ハーフカバー及び第２ハーフカバーは、閉塞したときに、掴線器収容室内に収容された掴線器に掴持された線を挿入されて外部に伸ばすための線挿入開口部を、左右側縁に形成され、第１ハーフカバー及び／又は第２ハーフカバーは、掴線器収容室内に収容された掴線器から線ののびる方向と交差又は直交する方向に向けてのびる、カバー把持部を突設され、前記カバー把持部は、間接工具で把持できるように、カバー胴部の主面と交差及び／又は直交する上面及び／若しくは下面に平面部を有し、及び／又は間接工具を係合できる、係合部を有する、請求項２に記載の間接工法用カバーを提供できる。
請求項４の発明によれば、被掩物収容部内に収容される被掩物は間接工法を施工する配電線及び／又は装置であって、第１ハーフカバーと、該第１ハーフカバーに接し合わされる、第２ハーフカバーとを備え、前記第１ハーフカバーは、その上縁にて第２ハーフカバーと開閉自在に連結され、その下縁にて第２ハーフカバーと閉塞した状態にて固定され、第１ハーフカバー及び第２ハーフカバーは、閉塞したときに、被掩物収容室内に収容された配電線及び／又は装置を挿入されて外部に伸ばすための挿入開口部を、左右側縁に形成され、第１ハーフカバー及び／又は第２ハーフカバーは、被掩物収容室内に収容された配電線及び／又は装置ののびる方向と交差又は直交する方向に向けてのびる、カバー把持部を突設され、前記カバー把持部は、間接工具で把持できるように、カバー胴部の主面と交差及び／又は直交する上面及び／若しくは下面に平面部を有し、及び／又は間接工具を係合できる、係合部を有する、請求項２に記載の間接工法用カバーを提供できる。
【０００９】
この発明の上述の目的、その他の目的、特徴及び利点は、図面を参照して行う以下の発明を実施するための形態の説明から一層明らかとなろう。
【図面の簡単な説明】
【００１０】
【図１】本発明に係る掴線器カバーを示す斜視図解図である。
【図２Ａ】本発明に係る掴線器カバーを示す正面図解図である。
【図２Ｂ】掴線器カバーを構成する第２ハーフカバーを示す正面図解図である。
【図３】掴線器カバーを示す平面図解図である。
【図４】掴線器カバーの右側面図解図である。
【図５】掴線器カバーの左側面図解図である。
【図６】掴線器カバーの底面図解図である。
【図７】掴線器カバーに掴線器及び線を収容した状態を示す第１ハーフカバーの正面図解図である。
【図８】掴線器カバーの組立状態を示す側面図解図である。
【図９】掴線器カバーの固定部を示す斜視図解図である。
【図１０】掴線器カバーの固定部を示す縦断面図である。
【図１１】カバー把持部を示す図解図であり、（Ａ）は平面図解図であり、（Ｂ）は側面図解図であり、（Ｃ）は断面図解図である。
【図１２】カバー把持部を示す図解図であり、（Ａ）は平面図解図であり、（Ｂ）は側面図解図であり、（Ｃ）は断面図解図である。
【図１３】本発明に係る掴線器カバーを構成する第１ハーフカバーと第２ハーフカバーとの固定構造を示す断面図解図である。
【図１４】本発明に係る掴線器カバーの支持に用いる間接工具を示す斜視図解図である。
【図１５】本発明に係る掴線器カバーの開閉に用いる間接工具を示す斜視図解図である。
【図１６】本発明に係る掴線器カバーの開閉方法を示す側面図解図である。
【図１７】本発明に係る掴線器カバーの開閉方法を示す側面図解図である。
【図１８】本発明に係る掴線器カバーの間接工法における使用方法を示す正面図解図である。
【図１９】本発明に係る間接工法用カバーの斜視図解図である。
【図２０】間接工法用カバーを構成する第１ハーフカバーを示す正面図解図である。
【図２１】間接工法用カバーを構成する第１ハーフカバーを示す背面図解図である。
【図２２】間接工法用カバーを構成する第２ハーフカバーを示す正面図解図である。
【図２３】間接工法用カバーを構成する第２ハーフカバーを示す背面図解図である。
【図２４】間接工法用カバーの平面図解図である。
【図２５】間接工法用カバーの右側面図解図である。
【図２６】本発明にかかる間接工法用カバーの間接工法における使用方法を示す斜視図解図である。
【図２７】本発明に係る間接工法用カバーの斜視図解図である。
【図２８】本発明にかかる間接工法用カバーの間接工法における使用方法を示す斜視図解図である。
【図２９】本発明に係る掴線器カバーの支持に用いる間接工具を示す斜視図解図である。
【図３０】本発明に係る掴線器カバーの開閉に用いる間接工具を示す斜視図解図である。
【図３１】本発明に係る掴線器カバーの開閉方法を示す側面図解図である。
【図３２】本発明に係る掴線器カバーの開閉方法を示す側面図解図である。
【図３３】本発明に係る掴線器カバーの開閉方法を示すカバー把持部の断面図解図である。
【図３４】本発明に係る掴線器カバーの開閉方法を示すカバー把持部の断面図解図である。
【発明を実施するための形態】
【００１１】
この発明にかかる間接工法において間接工具によって把持される把手構造は、
把持される領域が、ベースから突設され、
ベースの主面と交差及び／又は直交する上面及び／若しくは下面に平面部を有し、
その平面部より上方及び／若しくは下方に向けてのびる縁部を形成され、並びに／又は、その平面部に間接工具を引っ掛ける及び／若しくは挿入するための、凹部又は孔部を形成され、
前記平面部及び／又は縁部が、間接工具で把持されたことを間接工具の操作者が視認することができるように形成され、
前記凹部又は孔部が、間接工具を引っ掛ける及び／又は挿入するときに間接工具の操作者が視認することができるように形成されている。
この間接活線工法において間接工具によって把持される把手構造は、電柱等の高い所に取り付けられた装置、部材及び部品等の一部（ベース）に適用される。
特に、この間接活線工法において間接工具によって把持される把手構造は、該装置、部材及び部品を、移動する、回転する、開閉する、振る、操る、押したり引いたりする等、動かすときに把持される部分に適用される。
【００１２】
間接活線工法は、活線等の架線の切り分け工法、分岐線工事、高圧末端延長工事、変圧器工事、高圧線移設工事、高圧アーム取替工事、避雷器工事、開閉器工事等において適用される。
間接工具は、高電圧が印加されている架線その他の部品を遠隔操作で安全に把持する活線工法等に用いられる工具である。
【００１３】
かかる、間接工法における間接工具によって把持される把手構造は、具体的には、例えば、間接工法用カバーに適用される。
この発明にかかる間接工法用カバーは、配電線及びその近傍に存する被掩物を収容する第１ハーフカバー及び／又は第２ハーフカバーの外表面に、カバー把持部を備える。
前記第１ハーフカバー及び／又は第２ハーフカバーは、それを構成する第１のカバー本体と第２のカバー本体とを上方において開閉自在に連設され、該連設された領域より下方の領域において、第１のカバー本体及び/又は第２のカバー本体にカバー把持部を突設されている。
前記カバー把持部は、間接工具によって把持するために、間接工具を進行させる方向とは反対側の方向に突設され、且つ、その外表面が該間接工具によって把持される形状を備えている。
【００１４】
この間接工法用カバー（掴線器カバー１０）は、閉じられたカバー把持部（第１ハーフカバー１２の第１カバー把持部２２及び第２ハーフカバー１４の第２カバー把持部２４）のうち、少なくとも一方を、間接工具の一種であるヤットコ５００等の把持具により、カバー把持部を突出方向に引っ張ることによって、一方のカバー（第１ハーフカバー１２）と他方のカバー（第２ハーフカバー１４）とを連結された領域より下方において離間させ、対向する一方のカバー（第１ハーフカバー１２）と他方のカバー（第２ハーフカバー１４）の内側の被掩物たる掴線器４００を開口した領域から挿入させて被掩物収容部（掴線器収容室１６）内に収容させることができるように構成されている。それとともに、間接工法用カバー（掴線器カバー１０）は、開口した一方のカバー（第１ハーフカバー１２）と他方のカバー（第２ハーフカバー１４）とが離間した領域において連設されて閉塞され、被掩物たる掴線器収容室４００を掩うように形成されている。
【００１５】
次に、本件発明にかかる間接工法用カバーの実施の形態である掴線器カバーについて説明する。
掴線器は、間接活線工法に用いられる間接工具の一つであり、掴線器は、活線等の掴持に用いられる。
掴線器カバー１０は、第１ハーフカバー１２と、該第１ハーフカバー１２と接し合わされる、第２ハーフカバー１４とを備える。
前記第１ハーフカバー１２は、その上縁にて第２ハーフカバー１４と開閉自在に連結され、その下縁にて第２ハーフカバー１４と閉塞した状態にて固定される。
一対の第１ハーフカバー１２と第２ハーフカバー１４とは、第１ハーフカバー１２の接合縁４８と第２ハーフカバー１４の接合縁５８とにおいて合掌して、掴線器カバー１０によって掩われる被掩物である掴線器４００を収容する、被掩物収容部を構成する掴線器収容室１６を形成する。
【００１６】
第１ハーフカバー１２及び第２ハーフカバー１４は、閉塞したときに、掴線器収容室１６内に収容された掴線器４００に掴持された線４０４及び線４０６を挿入されて外部に伸ばすための線挿入開口部１８を、左右側縁に形成されている。
第１ハーフカバー１２及び／又は第２ハーフカバー１４は、掴線器収容室１６内に収容された掴線器４００から線ののびる方向と交差又は直交する方向に向けてのびる、カバー把持部２０（第１カバー把持部２２及び／又は第２カバー把持部２４）を突設されている。
前記第１カバー把持部２２及び第２カバー把持部２４は、間接工具（ヤットコ５００）で把持できるように、カバー胴部の主面と交差及び／又は直交する上面及び／若しくは下面に平面部を有し、及び／又は間接工具（遠隔操作用引っ掛け具６００）を係合できる、係合部を有している。
【００１７】
第１ハーフカバー１２は、カバー本体を構成する、前胴部４０と、該前胴部４０の上端より突設された上縁部４２と、該前胴部４０の下端より突設された下縁部４６と、該前胴部４０の左右の側縁より突設された側縁部（左側縁部４４ａ及び右側縁部４４ｂ）とを備える。
第１ハーフカバー１２の前胴部４０は、掴線器収容室１６に収容される掴線器４００より大きい面積を有する。
【００１８】
第２ハーフカバー１４は、カバー本体を構成する、後胴部５０と、該後胴部５０の上端より突設された上縁部５２と、該後胴部５０の下端より突設された下縁部５６と、該後胴部５０の左右の側縁より突設された側縁部（左側縁部５４ａ及び右側縁部５４ｂ）とを備える。
第２ハーフカバー１４の後胴部５０は、掴線器収容室１６に収容される掴線器４００より大きい面積を有する。
【００１９】
第１ハーフカバー１２の上縁部４２及び側縁部（左側縁部４４ａ及び右側縁部４４ｂ）は、掴線器収容室１６に収容された掴線器４００の厚さの半分より高い高さを備えるように前胴部４０の周縁より突設されている。
第２ハーフカバー１４の上縁部５２及び側縁部（左側縁部５４ａ及び右側縁部５４ｂ）は、掴線器収容室１６に収容された掴線器４００の厚さの半分より高い高さを備えるように後胴部５０の周縁より突設されている。
【００２０】
第１ハーフカバー１２の接合縁４８及び第２ハーフカバー１４の接合縁５８は、掴線器４００及び掴線器４００に掴持された線４０４及び線４０６を通る左右方向垂直平面に沿うように、略々垂直な平面を備える。
第１ハーフカバー１２の接合縁４８及び第２ハーフカバー１４の接合縁５８は、閉鎖時に、略々垂直な平面上で接し合うように形成されている。
【００２１】
前記第１ハーフカバー１２と第２ハーフカバー１４とは、対称形であって、第１ハーフカバー１２の上縁部４２及び下縁部４６及び側縁部（左側縁部４４ａ及び右側縁部４４ｂ）の接合縁４８と、第２ハーフカバー１４の上縁部５２及び下縁部５６及び側縁部（左側縁部５４ａ及び右側縁部５４ｂ）の接合縁５８とが合わさり、下縁に形成された固定部１００により連結されている。
接合縁４８及び接合縁５８から前胴部４０及び後胴部５０側に向けて、線挿入開口部１８は拡がる。
前記第１ハーフカバー１２の第１カバー把持部２２と第２ハーフカバー１４の第２カバー把持部２４とは、反対方向に向けて突設されている。
一対の第１ハーフカバー１２と、第２ハーフカバー１４とは、同一の形状に、比較的柔軟性を有する合成樹脂により一体成形されている。
【００２２】
第１ハーフカバー１２の第１カバー把持部２２と第２ハーフカバー１４の第２カバー把持部２４とは、反対側に向けて突出している。
第１カバー把持部２２は、開口する方向で基準平面（掴線器４００及び掴線器４００に掴持された線４０４及び線４０６を通る左右方向垂直平面）に対して交差する方向に向けて突出されている。第１カバー把持部２２は、前胴部４０の主面から外方に向けて突設されている。
第２カバー把持部２４は、開口する方向で基準平面（掴線器４００及び掴線器４００に掴持された線４０４及び線４０６を通る左右方向垂直平面）に対して交差する方向に向けて突出されている。第２カバー把持部２４は、後胴部５０の主面から外方に向けて突設されている。
前記カバー把持部２０は、その平面部より上方及び／若しくは下方に向けてのびる縁部２６を形成され、並びに／又は、その平面部に間接工具（遠隔操作用引っ掛け具６００）を引っ掛ける及び／若しくは挿入するための、係合部２８を構成する凹部又は孔部を形成されている。
【００２３】
第１カバー把持部２２の上面及び下面に形成された平面部は、間接工具たるヤットコ５００によって把持しやすい形状である。
第１カバー把持部２２の上面及び下面に形成された平面部は、間接工具たるヤットコ５００によって把持しやすい形状にするために、ヤットコ５００の把持部分の角度に合わせてやや傾斜している。
そして、第１カバー把持部２２の上面及び下面に形成された平面部は、第１カバー把持部２２を開閉する方向に拡がる。
第２カバー把持部２４の上面及び下面に形成された平面部は、間接工具たるヤットコ５００によって把持しやすい形状である。
第２カバー把持部２４の上面及び下面に形成された平面部は、間接工具たるヤットコ５００によって把持しやすい形状にするために、ヤットコ５００の把持部分（把持板５０４）の角度に合わせてやや傾斜している。
そして、第２カバー把持部２４の上面及び下面に形成された平面部は、第２カバー把持部２４を開閉する方向に拡がる。
【００２４】
第１カバー把持部２２は、ヤットコ５００によって把持される空間を備える把持孔３０を穿設されている。
第２カバー把持部２４は、ヤットコ５００によって把持される空間を備える把持孔３０を穿設されている。
第１カバー把持部２２の把持孔３０は、第１カバー把持部２２の先端縁３２との間に把持領域３４を形成されるように、先端縁３２と一定の距離をおいて、前胴部４０側に形成されている。
第２カバー把持部２４の把持孔３０は、第２カバー把持部２４の先端縁３２との間に把持領域３４を形成されるように、先端縁３２と一定の距離をおいて、後胴部５０側に形成されている。
把持孔３０と先端縁３２との間の把持領域３４は、後述するヤットコ５００の固定顎５０７と可動顎５０８とによって扶持される幅を有し、前胴部４０及び後胴部５０の表面に沿ってのびる帯状である。
【００２５】
第１カバー把持部２２に形成された係合部２８を構成する凹部又は孔部は、間接工具たる遠隔操作用引っ掛け具６００によって引っ掛けて、第１ハーフカバー１２を開く方向に引っ張り易いように形成されている。係合部２８は、把持領域３４の把持孔３０側の端縁の中央に形成されている。
係合部２８を構成する凹部又は孔部の前胴部４０とは反対側、すなわち遠隔操作用引っ掛け具６００で引っ張る側の端縁が、間接工具たる遠隔操作用引っ掛け具６００によって引っ掛けられるように、第１ハーフカバー１２の開く方向と直交又は交差する方向にのびる。
【００２６】
第１カバー把持部２２の先端の近傍に形成された縁部２６は、間接工具たるヤットコ５００によって挟持しやすい形状である。
第１カバー把持部２２の先端の近傍に形成された縁部２６は、間接工具たるヤットコ５００によって挟持しやすい形状にするために、ヤットコ５００で挟持する方向であって、第１カバー把持部２２を開閉する方向と交差ないしは直交する方向にのびる。
【００２７】
前記第１ハーフカバー１２は、上縁部４２に、掴線器４００に掴持されて外部にのびる線４０４及び線４０６ののびる方向に沿って、ハーフカバー連結部を構成する第１連結突条６０が突設されている。
前記第２ハーフカバー１４は、上縁部５２に、掴線器４００に掴持されて外部にのびる線４０４及び線４０６ののびる方向に沿って、ハーフカバー連結部を構成する第２連結突条６２が突設されている。
【００２８】
前記第１ハーフカバー１２の第１連結突条６０と、前記第２ハーフカバー１４の第２連結突条６２とは、上縁部４２及び上縁部５２において第１連結突条６０及び第２連結突条６２が接し合わされて、その外表面を嵌挿された弾性を有する連結線体７０で連結されている。
連結線体７０は、ハーフカバー連結部を構成する。
【００２９】
第１連結突条６０及び第２連結突条６２は、掴線器４００及び掴線器４００に掴持された線４０４及び線４０６を通る左右方向垂直平面に、平行にのびる。
又、第１連結突条６０及び第２連結突条６２は、接合縁４８及び後胴部５０と平行にのびる。
【００３０】
この発明の実施の形態においては、第１ハーフカバー１２の第１連結突条６０は、長手方向を有する断面逆Ｌ字状のレール体であって、長尺状に形成され、第２ハーフカバー１４の第２連結突条６２は、長手方向を有する断面逆Ｌ字状のレール体であって、長尺状に形成されている。第１ハーフカバー１２の第１連結突条６０と第２ハーフカバー１４の第２連結突条６２とが合わさって、外表面が略Ｔ字状に形成されている。
そして、第１ハーフカバー１２の第１連結突条６０と第２ハーフカバー１４の第２連結突条６２とが接し合わされ、一直線状に並列される。第１ハーフカバー１２の第１連結突条６０と第２ハーフカバー１４の第２連結突条６２とが合わさって、外表面が略Ｔ字状に形成されている。
【００３１】
連結線体７０は、前記一直線状に並列された第１連結突条６０と第２連結突条６２との外周面に嵌合されるために、断面Ｃ字状のレール体に形成されている。連結線体７０は、第１連結突条６０と第２連結突条６２に跨って嵌挿されて、第１ハーフカバー１２と第２ハーフカバー１４とを開閉できるように連結している。
【００３２】
第１ハーフカバー１２と第２ハーフカバー１４とを連結する固定部１００は、一方の接合縁４８に形成された固定突起１０２と、他方の接合縁５８に形成された該固定突起１０２を係合する固定凹部１０４とによって形成されている。
この発明の実施の形態においては、固定突起１０２は、接合縁４８及び接合縁５８から突設された首部１０６ｂと、該首部１０６ｂの先端に形成された球状頭部１０６ａとを有している。
固定凹部１０４は、前記球状頭部１０６ａを嵌合するように穿設された環状凹部１０８を有している。
而して、第１ハーフカバー１２と第２ハーフカバー１４とを閉じたときは、第１ハーフカバー１２の固定突起１０２の球状頭部１０６ａは、第２ハーフカバー１４の環状凹部１０８に嵌合され、且つ、第２ハーフカバー１４の固定突起１０２の球状頭部１０６ａは、第１ハーフカバー１２の環状凹部１０８に嵌合される。定突起１０２が固定凹部１０４に嵌合されて、堅固に、第１ハーフカバー１２の下縁部４６と第２ハーフカバー１４とは、その下縁部４６と下縁部５６とを接し合わせて固定される。
【００３３】
第１ハーフカバー１２と第２ハーフカバー１４とを連結する固定部１００は、前記固定突起１０２と固定凹部１０４とからなる固定部１００による連結状態を保全するために、予防的に固定部１００として形成された固定連結帯１３０を備える。
固定連結帯１３０は、第１ハーフカバー１２の下縁部４６の近傍に固着された、第１固定連結帯１３２と、該第１固定連結帯１３２を係合する固定連結帯係合部１３４とを備える。
第１固定連結帯１３２は、第２ハーフカバー１４の下縁部５６の近傍に付設されている。
この実施の形態においては、第１固定連結帯１３２は、固定連結帯係合部１３４と接し合わされる領域に、面ファスナーが配設され、固定連結帯係合部１３４は、固定連結帯１３０と接し合わされる領域に面ファスナーが配設されている。
【００３４】
線挿入開口部１８は、第１ハーフカバー１２の左右側縁（左側縁部４４ａ及び右側縁部４４ｂ）の上縁部４２の近傍から下縁部４６の近傍に亘って長く形成され、且つ、接合縁４８の近傍から前胴部４０の近くまで、幅広く形成されるとともに、第２ハーフカバー１４の左右側縁（左側縁部５４ａ及び右側縁部５４ｂ）の上縁部５２の近傍から下縁部５６の近傍に亘って長く形成され、且つ、接合縁５８の近傍から後胴部５０の近くまで、幅広く形成されている。
大きく開口された線挿入開口部１８は、図８において示すように、開口口縁部から遮蔽シート１５０及び遮蔽シート１５２を多数突出されている。
遮蔽シート１５０及び遮蔽シート１５２は、適宜な間隔をあけて並列されており、各遮蔽シート１５０及び遮蔽シート１５２は、弾力性を有している。
第１ハーフカバー１２の遮蔽シート１５０と第２ハーフカバー１４の遮蔽シート１５２とは、それらの接合縁４８及び接合縁５８の延長線上において、突き合わされる長さを備えている。
【００３５】
前記固定部１００は、固定突起１０２及び固定凹部１０４を形成された領域に、固定突起１０２と固定凹部１０４とを嵌合させるための押圧挟持部を備えている。
押圧挟持部は、第１ハーフカバー１２の下縁で、固定突起１０２及び固定凹部１０４を形成された領域の表側（手前側）に設けられた、第１押圧挟持部１２０と、第２ハーフカバー１４の下縁で、固定突起１０２及び固定凹部１０４を形成された領域の表側（向こう側）に設けられた、第２押圧挟持部１２２とを有している。
【００３６】
第１押圧挟持部１２０は、第１ハーフカバー１２の前胴部４０の下方で左側縁部４４ａの近傍と右側縁部４４ｂの近傍とに、間隔をあけて形成されている。
第２押圧挟持部１２２は、第２ハーフカバー１４の後胴部５０の下方で左側縁部５４ａの近傍と右側縁部５４ｂの近傍とに、間隔をあけて形成されている。
第１押圧挟持部１２０は、接合縁４８と平行であって、固定突起１０２と直交する平面を備える。
第２押圧挟持部１２２は、接合縁５８と平行であって、固定突起１０２と直交する平面を備える。
而して、第１押圧挟持部１２０と第２押圧挟持部１２２とは、固定突起１０２が固定凹部１０４の入口に差し掛かった状態において、間接工具で第１押圧挟持部１２０の外側面と第２押圧挟持部１２２の外側面とを挟み、固定突起１０２を固定凹部１０４に嵌合させる。
【００３７】
第１ハーフカバー１２の下縁部４６は、接合縁４８より外側に拡がる第１案内滑部８０を形成されている。
第２ハーフカバー１４の下縁部５６は、接合縁５８より外側に拡がる第２案内滑部８２を形成されている。
第１案内滑部８０は、アーチ状ないし断面半円弧状にわん曲した板状体であり、その一方の脚部が前胴部４０の下縁部４６に連設され、その他方の脚部が自由端となっている。
第２案内滑部８２は、アーチ状ないし断面半円弧状にわん曲した板状体であり、その一方の脚部が後胴部５０の下縁部５６に連設され、その他方の脚部が自由端となっている。
第１案内滑部８０と第２案内滑部８２とは、左右対称で、その間に掴線器４００を挟んで掴線器４００の表面を滑らせながら掴線器４００の下方に移動させるように形成されている。
【００３８】
固定部１００の固定連結帯１３０の第１固定連結帯１３２は、第１案内滑部８０及び第２案内滑部８２を跨いで固定連結帯係合部１３４に係合され、第１案内滑部８０及び第２案内滑部８２を軽い力で締め付けるように固定される。
【００３９】
第１ハーフカバー１２の内面、すなわち国線器収容室１６側の面に、国線器４００を軽く押さえて所定の位置で保持されるように、弾力性を有するスポンジ等からなる緩衝材１９０を付着されている。
【００４０】
次に、この発明にかかる掴線器カバー１０の使用方法について、主として図１及び図１８に基づいて、説明する。
【００４１】
まず、掴線器４００の使用状態を説明する。
【００４２】
配線作業に用いる活線切り分け工具は、架線（線４０４及び線４０６）の２点を掴持する２つの掴線器４００と、これらの掴線器４００間に接続されて遠隔に収縮操作されることにより、各掴線器４００が掴持している掴持点を互いに引き付けて架線（線４０４及び線４０６）を弛ませるホットスティックと言われる棒状張線器４０２とを備え、緩んだ掴持点間で架線（線４０４及び線４０６）を切り分けても、架線（線４０４及び線４０６）の緊張状態を保つことができる。そこで、一方の切り離し端側を停電させた工事区間とし、他方の切り離し端側を活線状態に復帰させて非工事区間とする配線作業を行うことになる。
【００４３】
本発明にかかる掴線器カバー１０は、掴線器４００並びに線４０４及び線４０６の上方に、間接工具（ヤットコ５００）において、第１ハーフカバー１２のカバー把持部２０を挟持して、そこで、第２ハーフカバー１４のカバー把持部２０の係合部２８たる凹部又は孔部が形成された、カバー把持部２０の上方に持ち上げた間接工具（遠隔操作用引っ掛け具６００）の引っ掛けるための先鋭部（引っ掛け突起６０４）を引っ掛けて、第２ハーフカバー１４の下縁部５６を、第１ハーフカバー１２の下縁部４６から引き離す。
第１ハーフカバー１２と第２ハーフカバー１４とが上縁（上縁部４２及び上縁部５２）の連結部（第１連結突条６０，第２連結突条６２及び連結線体７０）を中心にして引き離された状態にして、掴線器４００並びに線４０４及び線４０６の上方から下方に向けておろし、掴線器４００の全体を掴線器収容室１６に収容する。
線４０４及び線４０６は、線挿入開口部１８より外側に出ているようにする。
【００４４】
間接工具は、次のようなものを用いられる。
【００４５】
本発明にかかる掴線器カバー１０の支持等に用いる間接工具たる遠隔操作用ヤットコ５００は、図１３に示すように、絶縁性の主軸５０１と、この主軸５０１の先端部に取り付けた把持具５０２と、この主軸５０１の基部に取り付けた操作具５０３と、前記把持具５０２の可動顎５０８と前記操作具５０３の操作レバー５０５とを連結し、この操作レバー５０５の手動操作を把持具５０２の把持操作に伝達する絶縁性の連結軸５０６とを備えている。
【００４６】
主軸５０１は、絶縁性のパイプで、中間部に樹脂製の絶縁傘５１０を嵌合固定し、基端部にゴムキャップ５２７と、その近傍にストラップ５２８とを取り付けている。
【００４７】
把持具５０２は、基部を主軸５０１の先端部に嵌合しボルト５１９とナット５２０で固定された絶縁性を有する固定顎（把持具５０２の本体部）５０７と、中間部を固定顎５０７の中間部に枢軸５２１と枢軸固定ナット５２２で方向ａに回動可能に枢支された絶縁性を有する可動顎（把持具５０２の本体部）５０８とからなる。固定顎５０７には、その把持面に一方のアルミ合金製の把持板５０４がビス５２６で着脱可能に取り付けられ、中間部に固定顎５０７と連結軸５０６の先端ジョイント５１３とを部分的に収納する空間部が設けられている。可動顎５０８には、その把持面に他方のアルミ合金製の把持板５０４がビス５２６で着脱可能に取り付けられ、連結部５１１に前記先端ジョイント５１３がピン５１７で回動可能に連結されている。把持板５０４には、把持側の面に多数の摩擦凹凸パターンと、２個の取り付け用ネジ孔とが設けられている。
【００４８】
操作具５０３は、主軸５０１の基部にリベット５２３で固定された固定具５０９と、この固定具５０９にピン５２４で枢支された操作レバー５０５と、この操作レバー５０５を固定具５０９に対し常に回動方向ｂへ押し付ける巻きバネ５２５とからなる。操作レバー５０５には、連結部５１２に連結軸５０６の基端ジョイント５１４がピン５１８で回動可能に連結されている。
【００４９】
連結軸５０６は、絶縁性のＦＲＰ製のパイプ５２９と、このパイプ５２９の先端にリベット５１５で固定された先端ジョイント５１３と、このパイプ５２９の基端にリベット５１６で固定された基端ジョイント５１４とからなる。先端ジョイント５１３には、先端側に把持具５０２の可動顎５０８の連結部５１１がピン５１７で回動可能に連結されており、基端側に肩面部が設けられ、操作具５０３の操作レバー５０５を開放しているときに巻きバネ５２５の復元力によって把持具５０２の固定顎５０７の中間部にこの肩面部５３０が押し付けられることによって、操作レバー５０５開放時の把持板５０４、４間の開口量が設定されている。基端ジョイント５１４には、操作具５０３の操作レバー５０５の連結部５１２がピン５１８で回動可能に連結されている。
【００５０】
上記構成において、把持具５０２の一対の把持板５０４、５０４間にカバー把持部２０を導入し、操作具５０３の操作レバー５０５を作業者が把握すると、連結部５１２に連結された連結軸５０６がｃ方向へ移動し、この連結軸５０６の先端の先端ジョイント５１３に連結された可動顎５０８の連結部５１１がｃ方向へ移動し、可動顎５０８の把持板５０４が固定顎５０７の把持板５０４に近づくように枢軸５２１回りに回動し、この一対の把持板５０４、５０４間に第１カバー把持部２２又は第２カバー把持部２４が把持される。作業者が操作レバー５０５の把握を開放すると、巻きバネ５２５の復元力によって一対の把持板５０４、５０４間は元の状態まで開き、カバー把持部２０を開放する。
【００５１】
本発明にかかる掴線器カバー１０の開閉等のために用いる間接工具たる遠隔操作用引っ掛け具６００は、図１４に示すように、絶縁性の主軸６０２と、この主軸６０２の先端部に取り付けた先端がわん曲した引っ掛け突起６０４とを備えている。
【００５２】
主軸６０２は、絶縁性のパイプで、中間部に樹脂製の絶縁傘６０６を嵌合固定している。
【００５３】
間接工法により高所に取り付けられた掴線器４００を国線器カバー１０により掩うときには、ヤットコ５００の一方の固定顎５０７の把持板５０４と他方の可動顎５０８の把持板５０４との間において掴線器カバー１０の一方の第１ハーフカバー１２の第１カバー把持部２２を把持し、主軸５０１の元部分を握って、把持具５０２を掴線器カバー１０を把持した状態で被掩物たる掴線器４００の上方に持ち上げる。
ヤットコ５００の固定顎５０７は、図１４において示すように、下方より第１カバー把持部２２の把持孔３０に挿入し、ヤットコ５００の可動顎５０８は、下方より第１カバー把持部２２の先端縁３２側に位置させて、固定顎５０７と可動顎５０８とにより把持領域３４を扶持することによって、第１カバー把持部２２を把持する。
国線器４００の上方に位置した掴線器カバー１０を開口するために、別途準備した遠隔操作用引っ掛け具６００の引っ掛け突起６０４を、掴線器カバー１０の他方の第２ハーフカバー１４の第２カバー把持部２４の側面に持ち上げる。
そして、ヤットコ５００を動かさないで、遠隔操作用引っ掛け具６００の引っ掛け突起６０４を掴線器カバー１０の第２カバー把持部２４に形成された係合部２８に引っ掛ける。
遠隔操作用引っ掛け具６００の引っ掛け突起６０４は、図１５において示すように、下方より第２カバー把持部２４の把持孔３０に挿入し、先端を上方に突き出させて、一部を係合部２８に引っ掛ける。
前記遠隔操作用引っ掛け具６００によって、第２カバー把持部２４の第２ハーフカバー１４より突出する方向に第２カバー把持部２４を引っ張る。
さすれば、掴線器カバー１０のカバー把持部２０の領域より下方の領域において、第１ハーフカバー１２から第２ハーフカバー１４が離間して開口する。
開口した掴線器カバー１０を掴線器４００の上方から、掴線器４００の手前側を第１ハーフカバー１２により且つ掴線器４００の向こう側を第２ハーフカバー１４により掩うように下降させる。
そして、線４０４及び線４０６を線挿入開口部１８より外部に出した状態にて、第１ハーフカバー１２の接合縁４８と第２ハーフカバー１４の接合縁５８とを接し合わせる。
次に、別途準備したヤットコ５００の把持具５０２で、第１ハーフカバー１２の第１押圧挟持部１２０と第２ハーフカバー１４の第２押圧挟持部１２２とを両側から把持して、固定突起１０２と固定凹部１０４とを嵌合させる。
而して、掴線器カバー１０は、線４０４及び線４０６と張線器４０２とを線挿入開口部１８から外部に出た状態にて、掴線器４００を掩う。
【００５４】
次に、本件発明にかかる間接工法用カバーの別の実施の形態である間接工法用装置カバー１０１０について主として、図９ないし２６に基づいて、説明する。
間接工法用装置カバー１０１０は、第１ハーフカバー１２と、該第１ハーフカバー１２と接し合わされる、第２ハーフカバー１４とを備える。
前記第１ハーフカバー１２は、その上縁にて第２ハーフカバー１４と開閉自在に連結され、その下縁にて第２ハーフカバー１４と閉塞した状態にて固定される。
一対の第１ハーフカバー１２と第２ハーフカバー１４とは、第１ハーフカバー１２の接合縁４８と第２ハーフカバー１４の接合縁５８とにおいて合掌して、間接工法用装置カバー１０１０によって掩われる被掩物である間接工法用装置１４００を収容するための、被掩物収容部を構成する間接工法用装置収容室１０１６を形成する。
間接工法用装置１４００とは、間接活線工法により工事をされる配電線及びその配電線を支持する碍子や腕木、並びに配電線を把持するクランプ等の物体や機械等をいう。
【００５５】
被掩物は、配電線、腕金等のように水平方向ないしは横方向にのびる物体以外、前記水平方向又は横方向にのびるものから垂直方向にのびるものを含む物体もある。
被掩物が水平方向ないしは横方向にのびる物体の場合、被掩物挿入開口部１０１８ａは、左側縁部４４ａ及び右側縁部４４ｂに形成されているものが適する。
被掩物が垂直方向にのびる物体を含む場合、被掩物線挿入開口部１０１８ｂは、下縁部４６に形成されているものが適する。
図１９ないし図２５に示す間接工法用装置カバー１０１０は、下縁部４６の中央に被掩物線挿入開口部１０１８ｂを開設されている。
【００５６】
第１ハーフカバー１２及び第２ハーフカバー１４は、閉塞したときに、間接工法用装置収容室１０１６内に収容されたクランプ１４０２を取り付けられた配電線１４０４を外部にのばすための被掩物挿入開口部１０１８ａを左右側縁に形成され且つ垂直方向にのびる配電線１４０６を挿入されて外部に伸ばすための被掩物線挿入開口部１０１８ｂを、下縁部４６に形成されている。
第１ハーフカバー１２及び／又は第２ハーフカバー１４は、間接工法用装置収容室１０１６内に収容されたクランプ１４０２を取り付けられた配電線１４０４及び配電線１４０６ののびる方向と交差又は直交する方向に向けてのびる、カバー把持部２０（第１カバー把持部２２及び／又は第２カバー把持部２４）を、第１ハーフカバー１２のカバー本体及び第２ハーフカバー１４のカバー本体の表面より突設されている。
もしくは、カバー把持部２０は、碍子を付設された腕金ののびる方向と交差又は直交する方向にのびる。
【００５７】
前記第１カバー把持部２２及び第２カバー把持部２４は、間接工具（ヤットコ５００）で把持できるように、カバー胴部の主面と交差及び／又は直交する上面及び／若しくは下面に平面部を有し、及び／又は間接工具（遠隔操作用引っ掛け具６００）を係合できる、係合部を有している。
【００５８】
次に、本件発明にかかる間接工法用カバーの別の実施の形態である間接工法用カバー２０１０について説明する。
この間接工法用カバー２０１０は、間接工法用装置１４００を構成する、碍子１４１０及び配電線１４０４及び配電線１４０６を掩う面積を有するシート状の第１ハーフカバー２０１２と、シート状の第２ハーフカバー２０１４とを備える。
第１ハーフカバー２０１２は、その外表面に第１カバー把持部２２を形成されており、第２ハーフカバー２０１４は、その外表面に第２カバー把持部２４を形成されている。
更に、第１ハーフカバー２０１２及び第２ハーフカバー２０１４は、その下縁の近傍に固定連結帯１３０を付設されている。
固定連結帯１３０を構成する第１固定連結帯１３２は、第１ハーフカバー２０１２に付設され、固定連結帯１３０を構成する固定連結帯係合部１３４は、第２ハーフカバー２０１４に付設されている。
【００５９】
而して、間接工法用カバー２０１０は、間接工法用装置１４００を構成する、碍子１４１０，配電線１４０４及び配電線１４０６の上から、第１ハーフカバー２０１２と第２ハーフカバー２０１４とをかぶせて、固定連結帯１３０で固定できる。
【００６０】
間接工具たるヤットコ５００及び遠隔操作用引っ掛け具６００によって、第１カバー把持部２２及び第２カバー把持部２４を把持し又は係合する方法は、前記した方法に限定されない。
例えば、図２９において示すように、ヤットコ５００の固定顎５０７と可動顎５０８とにより、第１カバー把持部２２の把持領域３４を上下から扶持して、ヤットコ５００によって、第１カバー把持部２２を把持してもよい。
又、例えば、図３０において示すように、遠隔操作用引っ掛け具６００の引っ掛け突起６０４を、第２カバー把持部２４の係合部２８に係合させるときに、上方より引っ掛け突起６０４を把持孔３０に挿入して、引っ掛け突起６０４を第２カバー把持部２４の係合部２８に係合させてもよい。
【符号の説明】
【００６１】
１０  掴線器カバー
１２，２０１２  第１ハーフカバー
１４，２０１４  第２ハーフカバー
１６  掴線器収容室
１８  線挿入開口部
２０  カバー把持部
２２  第１カバー把持部
２４  第２カバー把持部
２６  縁部
２８  係合部
３０  把持孔
３２  先端縁
３４  把持領域
４０  前胴部
４２  上縁部
４４ａ  左側縁部
４４ｂ  右側縁部
４６  下縁部
４８  接合縁
５０  後胴部
５２  上縁部
５４ａ  左側縁部
５４ｂ  右側縁部
５６  下縁部
５８  接合縁
６０  第１連結突条
６２  第２連結突条
７０  連結線体
８０  第１案内滑部
８２  第２案内滑部
１００  固定部
１０２  固定突起
１０４  固定凹部
１０６ａ  球状頭部
１０６ｂ  首部
１０８  環状凹部
１２０  第１押圧挟持部
１２２  第２押圧挟持部
１３０  固定連結帯
１３２  第１固定連結帯
１３４  固定連結帯係合部
１５０，１５２  遮蔽シート
１９０  緩衝材
４００  掴線器
４０２  張線器
４０４，４０６  線
５００  ヤットコ
５０１，６０２  主軸
５０２  把持具
５０３  操作具
５０４  把持板
５０５  操作レバー
５０６  連結軸
５０７  固定顎
５０８  可動顎
５０９  固定具
５１０，６０６  絶縁傘
５１１，５１２  連結部
５１３  先端ジョイント
５１４  基端ジョイント
５１５，５１６，５２３  リベット
５１７，５１８，５２４  ピン
５１８  ピン
５１９  ボルト
５２０  ナット
５２１  枢軸
５２２  枢軸固定ナット
５２５  巻きバネ
５２６  ビス
５２７  ゴムキャップ
５２８  ストラップ
５２９  パイプ
６００  遠隔操作用引っ掛け具
６０４  引っ掛け突起
１０１０  間接工法用装置カバー
１０１６  間接工法用装置収容室
１０１８ａ，１０１８ｂ  被掩物挿入開口部
１４００  間接工法用装置
１４０２  クランプ
１４０４，１４０６  配電線
１４１０  碍子
２０１０  間接工法用カバー
【図１】
0006482825.tif 000002
【図２Ａ】
0006482825.tif 000003
【図２Ｂ】
0006482825.tif 000004
【図３】
0006482825.tif 000005
【図４】
0006482825.tif 000006
【図５】
0006482825.tif 000007
【図６】
0006482825.tif 000008
【図７】
0006482825.tif 000009
【図８】
0006482825.tif 000010
【図９】
0006482825.tif 000011
【図１０】
0006482825.tif 000012
【図１１】
0006482825.tif 000013
【図１２】
0006482825.tif 000014
【図１３】
0006482825.tif 000015
【図１４】
0006482825.tif 000016
【図１５】
0006482825.tif 000017
【図１６】
0006482825.tif 000018
【図１７】
0006482825.tif 000019
【図１８】
0006482825.tif 000020
【図１９】
0006482825.tif 000021
【図２０】
0006482825.tif 000022
【図２１】
0006482825.tif 000023
【図２２】
0006482825.tif 000024
【図２３】
0006482825.tif 000025
【図２４】
0006482825.tif 000026
【図２５】
0006482825.tif 000027
【図２６】
0006482825.tif 000028
【図２７】
0006482825.tif 000029
【図２８】
0006482825.tif 000030
【図２９】
0006482825.tif 000031
【図３０】
0006482825.tif 000032
【図３１】
0006482825.tif 000033
【図３２】
0006482825.tif 000034
【図３３】
0006482825.tif 000035
【図３４】
0006482825.tif 000036